(57)【要約】【目的】仮令えば「道の駅」などの休息施設或いは有名温泉地など著名地域，名所などで、それぞれ共通性があり、独自性があり、収益性があり、利用者の興味を引くものであり、加えて更に可能性を秘めそれを促進させることが出来るようなキップの販売システムを提供すること【構成】道の駅や高速道路のパーキングエリアや有名温泉地など著名地域、名所に各種交通手段のキップを模した多数のキップ本体と、このキップ本体を販売する機構と、このキップ本体に購入した日付を印字するスタンプ機構とよりなる【選択図】  図１
2004318555.tif 000002
【特許請求の範囲】
【請求項１】
道の駅や、高速道路のパーキングエリアや、有名温泉地などの著名地域や名所に、
各種交通手段のキップを模した多数のキップ本体と、このキップ本体を販売する機構と、このキップ本体に購入した日付を印字するスタンプ機構とを備えたことを特徴とするキップの販売システム。
【請求項２】
上記著名地域や名所のキップ本体の複数枚を、収容できる部位をもったホルダ本体を有することが特徴の上記請求項１に示すキップの販売システム。
【請求項３】
上記キップ本体には、仮令えば車両の各種傷害、損害保険に加入している旨の証言が添付または印字されていることが特徴の上記請求項１及び２に示すキップの販売システム。
【発明の詳細な説明】
【０００１】
【産業上利用の分野】
本発明は道の駅や、高速道路のパーキングエリアや、有名温泉地など著名地域、名所などで販売されるキップ本体とその販売システムに関する。
【０００２】
【従来の技術】
本来キップとは、仮令えば電車やバスなどの公共交通を利用する際に、或いは遊園地や映画館，コンサートなどの公共施設を利用する際に多く用いられているものであり、多くはその代金の対価としてキップ本体の提供を受けるものである。しかしながらその本来も目的を逸し、一方で仮令えば新線開通や廃線などの折りに発売される記念キップや、また映画などにあってはその半券など、そのキップ本体やキップの半券に新たな付加価値を見出すことも往々にしてあった。
【０００３】
しかしながらこれらについては本来の目的故にそれぞれがそれぞれ独自に発券，販売しているものであり、これらには共通性は何ら無い事至極当たり前な事で、利用者にとってコレクションする折りにその整理が煩雑なものとなるばかりか、これを販売する側にとっても管理においては問題があり、キップ本体に何らかの共通性を見出すことは課題となっていた。
【０００４】
また仮令えば「道の駅」と呼ばれる全国７００箇所に散らばる休息施設にあっては、従来それぞれの「道の駅」でそれぞれ個々のサービスの提供を行ってきたが、これは道の駅をきっかけとした町と町とが手を結び合うと言う本来の目的こそ果たしたものの、その上にある更なる発展のためには現状の点である「道の駅」である現状を打破した上で、関連性を見出しかつ点を線として捉える必要が最重要課題とされてきた。それ故にそれぞれの「道の駅」を結ぶ共通性は必須なものとして考えられ続けてきたのである。
【０００５】
しかしこの道の駅を例にとっても、従来上記のような観点に立った発明考案は見当たらず、わずかに道の駅の道路の情報を提供するシステムがある程度である。（例えば特許文献１要約書）
【０００６】
【特許文献１】
特開平８−３２０９８９号公報
【０００７】
【発明が解決しようとする課題】
本発明の目的は、仮令えば「道の駅」などの休息施設或いは有名温泉地など著名地域，名所などで、それぞれ共通性があり、独自性があり、収益性があり、利用者の興味を引くものであり、加えて更に可能性を秘めそれを促進させることが出来るようなキップの販売システムを提供することにある。
【０００８】
【課題を解決するための手段】
而して本発明の特徴は、道の駅や高速道路のパーキングエリアや有名温泉地など著名地域、名所に各種交通手段のキップを模した多数のキップ本体と、このキップ本体を販売する機構と、このキップ本体に購入した日付を印字するスタンプ機構とを備えたことである。
【０００９】
また本発明の他の特徴は、上記著名地域や名所のキップ本体の複数枚を収容できる部分をもったホルダ本体を有することである。
【００１０】
また本発明の他の特徴は、上記ホルダ本体には、仮令えば車両の各種傷害、損害保険に加入している旨の証言が添付または印字されていることである。
【００１１】
また本発明にはその他に優れた発明の目的、特徴、作用効果を有するがこれらは以下の実施例の説明で明らかにすることにする。
【００１２】
【発明の実施の形態】
以下図面に従って本発明の一実施例を説明する。
【００１３】
図１にあって（１）はキップ本体である。ここではＷ８８ｍｍ×Ｈ２９ｍｍと手に取って扱うに扱いやすい大きさを想定しているが、勿論これに限った訳ではない。またその材質についても仮令えば紙類は勿論、プラスチック、陶器（セラミック）、ガラス、木材、食品などの工夫を凝らし、本発明を実施できるものであれば何でも構わない。ここではその中にあって紙類を、しかも所謂硬券と呼ばれる比較的厚めの紙類を用いた場合を想定して説明する。なおここでは特に図示しないが、キップ本体（１）に購入後これを記念に壁などに貼るために磁気を塗布したり、或いは発行地の名所、古跡を紹介するＩＣチップなど記録媒体を貼付させたりてもよい。
【００１４】
図１のキップ本体（１）は日本国の北海道  知床・らうすに所在する道の駅を想定したものであるが、仮令えば通常のキップで子供料金などの割引情報が記載された部分、ここでは入（入場券），知床・らうす・三笠（２）とあり、次いでその地方のマーク（３），日付（４），キップの名称（５），所在地（６），金額（７），施設の名称（８），駅名（９）など必要な情報の内適宜なものを選んで記載されている。
【００１５】
また図２のようにキップ本体（１）の裏側においても各種情報の記載個所を設けるとよい。即ちここではナンバリング（１０），発行者（１１），その地方の名所・古跡の紹介インフォメーション（１２）を記載した一例を示したが、勿論これに限ったものではない。さらに図１に示したキップ本体（１）の表面に記載させた情報を、図２に示すようにキップ本体（１）の裏面に記載させても構わない。また逆に、キップ本体（１）の裏面に記載させた仮令えばナンバリング（１０）などの情報を図１に示すようなキップ本体（１）の表面に記載させても何ら構わない。
【００１６】
なお上記のナンバリング（１０）は、宝くじと同じような興業や、或いは収集の際の目安としてその番号に地域性や数字の関連性を持たせてもよい。図３はその一例で、キップ本体（１）の裏面に記載したナンバリング（１０）を基に、当落を算出しその結果を発表した抽選表示（１５）であり、仮令えば下４桁が同一の場合や、或いは下４桁が連番だった場合に於て当選者に対して賞品を提供するようにすれば、当該道の駅の誘致に繋がり、このキップの売上にも貢献することになる。
【００１７】
さて仮令えばドライブの途中の道の駅で、当該キップ本体（１）が販売されている事実を知ったら誰でも購買意欲がそそがれること確かである。
【００１８】
而して道の駅には多くの場合予めかかるキップ本体（１）の専用の販売機（ａ）を設置しておくことが望ましい。この販売機（ａ）は、従来公知の通常の構造のもので良いから、その詳細な説明は省くが要は、キップ本体（１）の複数あるいは複百枚を収容できる硬券ケース樋（１３）と、これよりキップ本体（１）を一枚宛取り出すことができる取出し口と、この取り出し口方向にキップ本体（１）群を押すバネのような背圧手段と日付の印字手段があればよい。
【００１９】
而して今仮に道の駅でこのキップ本体（１）を買い求めたい人がいたとする。しかるにこの利用者は適宜施設の適宜箇所に設けられたキップ本体（１）の発売機（ａ）へ赴くことになるが、まず図４におけるステップＡのように、発券者は発売用硬券ケース樋（１３）からキップ本体（１）を取り出す。この発売用硬券ケース樋（１３）は各施設におけるキップ本体（１）に対して共通性を持たせるために、予め主催者などから頒布を受けておくことが肝要である。
【００２０】
次いでステップＢのように発売用硬券ケース樋（１３）に設けられたガイド部（１４）に添ってキップ本体（１）を差し込むことで、印字スタンプによる印字がなされ、キップ本体（１）に図１における（４）のように発券した日付が記載されるのである。これによってステップＣのような所定の位置に誰でも簡単に日付を印字することが出来るのである。
【００２１】
また各キップ本体（１）には共通性を持たせたことから、仮令えば図５に示したようなキップ専用収集ホルダ本体（１５）を設けてもよい。ここで示したのは真ん中二つ折りのもので、ホルダ本体（１５）の中央部に金具を設け、この金具に適合するようなクリアファイル（１６）を差し込み、クリアファイル（１６）に設けられた適宜箇所からキップ本体を差し入れる事で、キップの収集を容易にしたものである。ここでは縦５枚、横２枚の合計１０枚を一枚のクリアファイル（１６）に収納できるようにした一例を示したが、勿論これに限った訳ではない。またこのクリアファイル（１６）は必要に応じて該ホルダ本体（１５）に追加する構造を有することが好ましい。
【００２２】
加えて該ホルダ本体（１５）は利用者にとっては自動車を運転する際に携行するものであることから、これに対して車両の各種傷害、損害保険に加入しこれらの証言を印字したり添付したりしてもよい。これは仮令えばホルダ本体（１５）１冊に対して保証額１０万円、最大で１０口まで加入する事が出来るようにして、利用者がこれを購入した際に保険会社に添付のハガキ類を送信するなど確認の連絡を入れることで権利が発生するものである。またこれに掛かる加入料や負担金については発券者，利用者どちらの負担としても本発明は実施できるものである。
【００２３】
【発明の効果】
以上述べたように、道の駅や高速道路のパーキングエリアや有名温泉地など著名地域、名所に各種交通手段のキップを模した多数のキップ本体とキップの販売システムを設けることで、利用者に対して収集の楽しさを提供することが出来るものである。
【００２４】
また販売者にとっては、その利用の日時を知り集める楽しさ、多数の仮令えば道の駅に赴いた達成記念の感激が味わえ、それだけ顧客を仮令えば道の駅の名称などに誘致でき今までにない高収益を生み出し、更なる消費拡大の効果に寄与貢献させることができた。
【００２５】
更にキップ本体にナンバリングさせてやることで、世の中に１枚しかないオリジナル商品として新たな価値を見出すことが出来るだけでなく、仮令えばくじ引きのような当選番号を設定することにより多岐に亘る可能性を提供することが出来るのである。
【００２６】
結果、利用者の減少による収益性の低下を食い止める事で、仮令えば道の駅にあっては本来の目的である「地域の連携機能」「情報発信機能」と言ったコンセプトを再確認し、これをサポートした上で、利用者にとって楽しさや思い出を提供できる可能性を持った施設を有効に活用していくために大きく寄与することが出来るのである。
【図面の簡単な説明】
【図１】キップ本体本体全体の正面一例図である。
【図２】キップ本体本体全体の裏面一例図である。
【図３】抽選結果の一例図である。
【図４】販売システムの一例図である。
【図５】キップ専用収集ホルダーの一例図である。
【符号の説明】
ａ  販売機
１  キップ本体
２  割引情報の記載
３  ロゴマーク
４  日付
５  キップの名称
６  所在地
７  金額
８  施設の名称
９  駅名
１０  ナンバリング
１１  発行者
１２  インフォメーション
１３  発売用硬券ケース樋
１４  ガイドライン
１５  キップ専用収集ホルダ本体
１６  クリアファイル
【図１】
2004318555.tif 000003
【図２】
2004318555.tif 000004
【図３】
2004318555.tif 000005
【図４】
2004318555.tif 000006
【図５】
2004318555.tif 000007